(57)【要約】【課題】  折畳式スクリーンにおいて、映像の鮮明さを得ながら折畳んだ時は、軽量でコンパクトになり携帯可能なスクリーンを提供するものである。さらにコストの安いスクリーンを提供するものである。【解決手段】スクリーン生地は、折畳可能な面状支持体に固着されて、面状支持体を折畳む時にスクリーンが共に折畳まれる折畳式スクリーンである。折畳式スクリーンは、前記面状支持体が三浦折り、マーズにより折られた折畳式スクリーンである。スクリーンと面状支持体の固着が、面状支持体の山折り部の尾根または、山折り部の頂点で固着された折畳式スクリーンである。 【選択図】          図１２
2008058881.tif 000002
【特許請求の範囲】
【請求項１】
拡大投影された映像を映写するためのスクリーンであって、スクリーンは、折畳可能な面状支持体に固着されて、面状支持体を折畳む時にスクリーンが共に折畳まれることを特徴とする折畳式スクリーン。
【請求項２】
前記面状支持体が三浦折り、マーズにより折られたことを特徴とする請求項１記載の折畳式スクリーン。
【請求項３】
前記スクリーンと面状支持体の固着が、面状支持体の山折り部の尾根または、山折り部の頂点で固着されたものであることを特徴とする請求項２記載の折畳式スクリーン。
【請求項４】
面状支持体を完全に広げてフラットにしたときの面積に対して、６０〜９８％の面積に折畳まれた状態の面状支持体に、フラットに展開したスクリーンが固着されたことを特徴とする請求項１〜３記載の折畳式スクリーン。
【請求項５】
スクリーンに伸縮性があることを特徴とする請求項１〜４記載の折畳式スクリーン。
【請求項６】
面状支持体が光を通さないことを特徴とする請求項１〜５記載の折畳式スクリーン。
【発明の詳細な説明】
【技術分野】
【０００１】
小型映写機、液晶プロジェクター、マイクロミラー型プロジェクター、スライド、ＯＨＰ等の装置から投影された映像を映写する折畳式スクリーンに関するものである。
【背景技術】
【０００２】
スクリーン等の映像表示装置は、映像表示面積が大きくなる程、表示できる情報量が多くなる。また、動画、静止画等の映像情報では、迫力感、臨場感といった映像表現が豊かになる。一方、持ち運びを考慮した場合には、大きなスクリーンは好ましくない。
【０００３】
特許文献１では傘型収納方式のスクリーンが提供された。図１はスクリーンを折畳んだ際の断面図である。図２はスクリーンを展開したときの断面図であり、図３は斜視図である。本スクリーンでは、図１のように、構造上折畳んだ際にスクリーンの対角線の半分までにしか小さくならないために、折畳んだ際に小型化がし難い。また、骨格部材に重量物を用いていることから持ち運びに不便である。
【０００４】
特許文献２では、小型の投影機から映写するスクリーンが提供された。図４は、スクリーンを折畳んだ際の正面図であり、図５は展開したときの正面図である。スクリーンは個々のスクリーン行方向、列方向で蝶番のようなもので繋ぎ合わされており、行方向、列方向共に折畳可能なスクリーンである。このスクリーンは、継ぎ目があるために継ぎ目の箇所の映像が鮮明でない。また、蝶番等の骨格部材を使用しているために、重量が重くなり持ち運びに不便であり、製造コストが高くなる問題があった。
【特許文献１】特開平４−２７５５３８号公報
【特許文献２】特開２００３−１０１９０９号公報
【発明の開示】
【発明が解決しようとする課題】
【０００５】
小型化を優先すると特許文献２のようにスクリーンに継ぎ目があるために映写された映像がきれいではないという問題があった。また、映写された映像の鮮明さ優先すると特許文献１のように折畳んだ際に小型化し難いという問題があった。映写された映像の美しさと、折畳んだ際の小型化を両立することは大きな課題であった。本発明は、折畳式スクリーンにおいて、映像の鮮明さを得ながら折畳んだ時は、軽量でコンパクトになり携帯可能なスクリーンを提供するものである。さらにコストの安いスクリーンを提供するものである。
【課題を解決するための手段】
【０００６】
本発明の請求項１記載の折畳式スクリーンは、拡大投影された映像を映写するためのスクリーンであって、スクリーンは、折畳可能な面状支持体に固着されて、面状支持体を折畳む時にスクリーンが共に折畳まれることを特徴とする折畳式スクリーンである。
本発明の請求項２記載の折畳式スクリーンは、前記面状支持体が三浦折り、マーズにより折られたことを特徴とする請求項１記載の折畳式スクリーンである。
本発明の請求項３記載の折畳式スクリーンは、前記スクリーンと面状支持体の固着が、面状支持体の山折り部の尾根または、山折り部の頂点で固着されたものであることを特徴とする請求項２記載の折畳式スクリーンである。
本発明の請求項４記載の折畳式スクリーンは、面状支持体を完全に広げてフラットにしたときの面積に対して、６０〜９８％の面積に折畳まれた状態の面状支持体に、フラットに展開したスクリーンが固着されたことを特徴とする請求項１〜３記載の折畳式スクリーンである。
【０００７】
本発明の請求項５記載の折畳式スクリーンは、スクリーンに伸縮性があることを特徴とする請求項１〜４記載の折畳式スクリーン。
本発明の請求項６記載の折畳式スクリーンは、面状支持体が光を通さないことを特徴とする請求項１〜５記載の折畳式スクリーンである。
【発明の効果】
【０００８】
映写された映像は、スクリーンに継ぎ目、しわ及びたるみが無いので映像が鮮明に映し出される。スクリーンを折畳んだ際には、小型軽量となり持ち運びのし易すいものとなる。さらに、低コストのスクリーンとなる。
【発明を実施するための最良の形態】
【０００９】
スクリーンを支持する面状支持体の材質は、紙、プラスチックシート、ラミネート紙、金属等で構成されていることが望ましく、厚みは０．０２ｍｍから２ｍｍ程度が望ましい。面状支持体とは、折畳が可能な折目を付けた平面体を言う。好ましくは、平面体に三浦折り、マーズで折目を付けたものである。三浦折りは、図６で示す折目を付けたものであり、マーズは、図７で示す折目を付けたものである。三浦折りは、大型宇宙構造物の収納と展開で有名である。また、地図や地図帳に実用化されている。
【００１０】
スクリーンは、既存のスクリーンを使用できる。面状支持体とスクリーンは、固着しておく。面状支持体とスクリーンを固着する箇所としては、三浦折りした面状支持体の図８示すように面状支持体９の尾根部１０のラインで固着する場合と、黒丸で示した頂点１１で固定する場合が考えられるが、両者を組み合わせてもよい。尾根部で固着する場合は、全尾根で面状支持体をスクリーンを固着すると、谷部にスクリーンが折畳まれて収納されるので好ましい。頂点で固着する場合にも、全頂点で固定した方が、スクリーンが谷部で収納されるので好ましい。
【００１１】
固着する方法としては、接着剤を使用する方法、糸を使用する方法、および溶着させる方法等が挙げられる。前記の接着剤としては、水溶性接着剤、ゴム系接着剤、アクリル系接着剤、エポキシ系接着剤、シアノアクリル系接着剤、ビニール系接着剤、シリコーンゴム系接着剤、プラスチック系接着剤、ホットメルト接着剤等が挙げられる。尾根部または頂点を接着剤で固着させる。前記の糸としては、絹縫い糸、綿縫い糸、及びポリエステルやナイロン等の合成繊維糸、ゴム糸等が挙げられる。尾根部または頂点を糸で縫いつけて固着させる。前記の溶着させる方法としては、高周波溶着、熱溶着、及び超音波溶着等が挙げられる。尾根部または頂点を溶着させて固着させる。溶着は、面状支持体およびまたはスクリーンが溶けることに固着されるものである。その他の頂点を固着させる方法としては、太さが０．２〜２ｍｍぐらいのＰＰなどのオレフィン系等の樹脂線を頂点に対して貫通させ、貫通後の頂点の上下を熱で溶かしたりして丸部を作り両者を固着する方法がある。（図９）この場合、丸部は、面状支持体およびスクリーンに固着されていても、固着していなくてもよい。
【００１２】
固着させる箇所は、スクリーンと接する全ての尾根部、または全ての頂点で固着させると面状支持体を折畳んだ時に、面状支持体の谷部にスクリーンが収納されてコンパクトになり好ましい。スクリーンが面状支持体の谷部に、スムーズに収納される限りにおいては、固着させる箇所は、上記の全ての箇所でなくともよい。しかしながら、面状支持体にスクリーンを常に固着させておく必要性から、少なくとも面状支持体の４隅の箇所の尾根部または頂点は、固着させる必要がある。
【００１３】
図１０は、本発明のスクリーンを折畳んだときの断面図であり、図１１は、本発明のスクリーンを展開したときの断面図である。面状支持体とスクリーンを固着する際には、図１１のように面状支持体を完全にフラットに展開しない状態でスクリーンに固着させる。尚、面状支持体の展開度合いは、面積比で６０〜９８％が望ましい。このような面積比で固着すると、面状支持体を対角方向に引っ張ったときに、スクリーンに張力が掛かり、しわ、及びたるみがなくなる。結果として、スクリーンに鮮明な美しい映像を投影することができる。
【００１４】
スクリーンの材質として縦横に伸縮性があるものを使用することにより、面状支持体を対角方向に引っ張ったときに、スクリーンのしわ、及びたるみがなくなりフラットなスクリーン面を形成することができる。伸縮性のあるスクリーンの生地としては、ポリエステル、ポリウレタン等の繊維をループ織り等した種々の生地が挙げられる。また、生地でなくても伸縮性のあるフィルム、シート類であってもよい。
【００１５】
面状支持体は光を通さないものにすることにより、背面から面状支持体に当たる光を通さないので映像が鮮明になる。光を通さない面状支持体としては、暗色の面状支持体や、面状支持体の背面側に金属蒸着層を設けたものが挙げられる。
【００１６】
スクリーンの表面には、光学処理層を設けることにより、映像の視野角を広げたり映像の輝度を上げたりすることにより、映像の鮮明性を図っても良い。
【００１７】
本発明の折畳式スクリーンを使用する際には、展開したものを壁、窓ガラス、ホワイトボード、黒板等の被着体に貼り付けて使用する。貼り付け方法は、下記の方法が挙げられる。ピン止めで止める。磁石で止める。再剥離タイプの両面粘着テープで止める。被着体に引っ掛け部を設け、面状支持体にフックを取り付けるか、穴を開けて止める。この引っ掛け部の個数は少なくとも４隅とそれ以上が好ましい。面状支持体に吸盤を取り付けてフラットな被着体に止める。被着体の全面または一部を吸引するようにして貼り付ける。
【００１８】
また、４角形の伸縮できるフレームを用意して、展開したフレームに折畳式スクリーンを止める。フレームは、被着体に架けたり、フレームに伸縮性のスタンドを取り付けても良い。天井からの紐で吊るしても良い。
【００１９】
以上は、携帯した折畳式スクリーンを被着体に固定する方法であるが、本発明の折畳式スクリーンを固定式として使用することもできる。例えば、被着体に折畳式スクリーンの折畳んだ折畳式スクリーンを収納できるボックスを設けて、収納し、小ドアで綴じておく。必要時に、ドアを開いて折畳式スクリーンを展開し、被着体に止める方法がある。
【００２０】
一般に携帯型スクリーンは、筒にスクリーンが収納される形をとっている。例えば、ＮＥＣ製のモバイルプロジェクターＬＴシリーズ用の４０型スクリーン：ＶＬ−Ｓ４０Ｅは、左右２つの筒にスクリーンが収納される。筒の長さは、７０ｃｍもあり、持ち運びに不便な大きさである。しかし、本発明の折畳式スクリーンで４０型のスクリーンを作成すると、例えば、図６の三浦折りで１つの平行四辺形のＬ長を５ｃｍ、θを７５度で折った面状支持体を使うと、折畳むと図１２で示す縦横のサイズは、約６×３４ｃｍのサイズに収縮し、折畳んだ時の厚みも約５ｃｍとなる。厚みは、図６のＬ長より若干短い長さが該当する。これぐらいの大きさであれば、カバンに収納して運ぶことが可能となる。
【００２１】
三浦折りは、図６でもわかるように同じ大きさの平行四辺形を組み合わせたものである。平行四辺形のθの角度によっては、縦横の収縮サイズは、異なってくる。例えば、Ｌ長を５ｃｍ、θを８０度にすると、収縮した縦横のサイズは約８×２５ｃｍとなる。平行四辺形のＬ長も任意で決めることができるので、折畳んだ時の厚みを薄くしたいのであればＬ長を短く設計すればよい。平行四辺形の相似形においてＬ長が短くなると、折畳みの数が増え折畳んだ時の嵩張りが増えて縦のサイズが大きくなる。要求される折畳んだ時の収縮サイズに応じて、Ｌ長、θ角度を決めればよい。
【００２２】
面状支持体の材質を紙やラミネート紙等の軽量なものを使用すれば、折畳式スクリーンは軽量となる。製造コストは、面状支持体とスクリーンからなり、それを固着するだけの非常にシンプルなものなので安くできる。
【実施例】
【００２３】
（実施例１）本発明の実施形態による折畳式スクリーンを図１２に示す。図１２は全体構成を示した斜視図である。図６は三浦折りの展開図であり、実線は山折り、点線は谷折りを示している。図６に示す通りに折ると、図１２に示す面状支持体１４になる。折る前の面状支持体のサイズは、縦横６０×４０ｃｍで厚み０．２２ｍｍである。  
三浦折りで作製した面状支持体１４の頂点部分において、厚み０．６０ｍｍの白色の伸縮性のあるポリエステル布製スクリーンを木綿糸で固着している。固着した糸の両端は、手縫いでの縫い止めと同様にして丸くして止めた。
尚、面状支持体を完全に広げてフラットにしたときの面積に対して、８０％の面積に折り畳まれた状態で、面状支持体とスクリーンを固着して折畳式スクリーンを作成した。また、面状支持体には製造コスト及び重量を考慮して、黒色の紙を使用した。
【００２４】
（実施例２）本発明の実施形態による折畳式スクリーンを図１３に示す。図１３に示したのは全体構成を示した斜視図である。図１３の１６は、マーズの面状支持体である。１７は、スクリーンである。１６をさらに説明する。図７はマーズの展開図であり、実線は山折り、点線は谷折りを示している。図７に示す通りに折ると、１６に示す面状支持体になる。マーズで作成した面状支持体１６の頂点部分と、伸縮性のあるポリエステル布製スクリーン１７を木綿糸で固着している。固着した糸の両端は、手縫いでの縫い止めと同様にして丸くして止めた。
【００２５】
尚、面状支持体を完全に広げてフラットにしたときの面積に対して、８０％の面積に折畳まれた状態で、面状支持体とスクリーンを固着して折畳式スクリーンを作成した。また、面状支持体は実施例１と同じサイズ、材質、色のものを使用した。
【００２６】
（比較例１）面状支持体のサイズが、４０×３０ｃｍで厚み０．２２ｍｍの白色の紙を実施例１と同様に三浦折りをした。面状支持体そのものを折畳式スクリーンとした。  
[評価方法]
実施例１，２、比較例１の折畳式スクリーンを折畳む、展開するを１回として１００回繰り返した。
【００２７】
面状支持体を展開してホワイトボードに４隅を磁石で固定してスクリーンを形成した。スクリーンに対して、液晶プロジェクター（エプソン製ＥＬＰ−７３０）で２０インチ相当の静止画像を映写した。映写された映像を観察すると、実施例１、２のスクリーンの映像は、鮮明に映るが、比較例１のスクリーンは、折り目のところが映像に見られた。また、比較例１は、折り目のところで汚れが付いたところは特に汚れた映像となった。
【００２８】
実施例１の折畳式スクリーンを折畳むと縦横３×２１ｃｍ、厚み５ｃｍとなり、実施例２の折畳式スクリーンを折畳むと縦横１５×２０ｃｍ、厚み１．５ｃｍとなった。いずれも非常にコンパクトで持ち運びに便利である形状となった。また重量は、いずれも６６ｇと軽量で携帯するのに都合がよいものであった。
【図面の簡単な説明】
【００２９】
【図１】特許文献１の折畳式スクリーンを折畳んだときの断面図
【図２】特許文献１の折畳式スクリーンを展開したときの断面図
【図３】特許文献１の折畳式スクリーンを展開したときの斜視図
【図４】特許文献２の折畳式スクリーンを折畳んだときの正面図
【図５】特許文献２の折畳式スクリーンを展開したときの正面図
【図６】三浦折りの折り目（実線は山折り、点線は谷折り）
【図７】マーズの折り目（実線は山折り、点線は谷折り）
【図８】三浦折りした面状支持体の尾根部と頂点の指図
【図９】面状支持体の頂点とスクリーンを固着した箇所の断面図
【図１０】本発明の折畳式スクリーンを折畳んだときの断面図
【図１１】本発明の折畳式スクリーンを展開したときの断面図
【図１２】実施例１の折畳式スクリーンの斜視図
【図１３】実施例２の折畳式スクリーンの斜視図
【符号の説明】
【００３０】
１スクリーン
２パイプ
３スライダー
４アーム取り付け具
５支持アーム
６連結アーム
７骨組み部材
８スクリーン
９、１２、１８面状支持体
１０面状支持体の尾根部
１１面状支持体の頂点
１２面状支持体
１３、１５、１７、１９スクリーン
１４面状支持体(三浦折り)
１６面状支持体(マーズ)
２０樹脂線
２１樹脂線の丸部
【図１】
2008058881.tif 000003
【図２】
2008058881.tif 000004
【図３】
2008058881.tif 000005
【図４】
2008058881.tif 000006
【図５】
2008058881.tif 000007
【図６】
2008058881.tif 000008
【図７】
2008058881.tif 000009
【図８】
2008058881.tif 000010
【図９】
2008058881.tif 000011
【図１０】
2008058881.tif 000012
【図１１】
2008058881.tif 000013
【図１２】
2008058881.tif 000014
【図１３】
2008058881.tif 000015
【手続補正書】
【提出日】平成18年9月5日(2006.9.5)
【手続補正１】
【補正対象書類名】特許請求の範囲
【補正対象項目名】請求項２
【補正方法】変更
【補正の内容】
【請求項２】
前記面状支持体が三浦折り又はマーズにより折られたことを特徴とする請求項１記載の折畳式スクリーン。
【手続補正２】
【補正対象書類名】明細書
【補正対象項目名】０００６
【補正方法】変更
【補正の内容】
【０００６】
本発明の請求項１記載の折畳式スクリーンは、拡大投影された映像を映写するためのスクリーンであって、スクリーンは、折畳可能な面状支持体に固着されて、面状支持体を折畳む時にスクリーンが共に折畳まれることを特徴とする折畳式スクリーンである。
本発明の請求項２記載の折畳式スクリーンは、前記面状支持体が三浦折り又はマーズにより折られたことを特徴とする請求項１記載の折畳式スクリーンである。
本発明の請求項３記載の折畳式スクリーンは、前記スクリーンと面状支持体の固着が、面状支持体の山折り部の尾根または、山折り部の頂点で固着されたものであることを特徴とする請求項２記載の折畳式スクリーンである。
本発明の請求項４記載の折畳式スクリーンは、面状支持体を完全に広げてフラットにしたときの面積に対して、６０〜９８％の面積に折畳まれた状態の面状支持体に、フラットに展開したスクリーンが固着されたことを特徴とする請求項１〜３記載の折畳式スクリーンである。
本発明の請求項５記載の折畳式スクリーンは、スクリーンに伸縮性があることを特徴とする請求項１〜４記載の折畳式スクリーン。
本発明の請求項６記載の折畳式スクリーンは、面状支持体が光を通さないことを特徴とする請求項１〜５記載の折畳式スクリーンである。